(57)【要約】【課題】洗濯槽内に設けた循環水路により洗濯水を循環させる洗濯機において、洗濯槽内の水位に関わらず、充分な吐出流量の洗濯水を異なる高さから吐出し、洗濯水を衣類全体にかかるようにし、洗濯水の循環効率を向上して洗剤の溶解を促進し、衣類にむらなく散水して洗いむらをなくし、洗浄性能を向上する。【解決手段】洗濯槽１の内底部にパルセータ２を回転自在に配設し、パルセータ２の回転によるパルセータ２の裏羽根１０のポンプ作用で洗濯水を循環水路１３の上方部の第１の吐出口１５およびこの第１の吐出口１５より下方に位置する第２の吐出口１６から洗濯槽１内へ吐出する。循環水路１３は、第１の吐出口１５および第２の吐出口１６を形成した覆い部材１４を有し、この覆い部材１４の内側に第２の吐出口１６を囲むように第１のリブ１７を立設し、この第１のリブ１７の下辺部分は略中央部分を開放した略逆ハ字形状とする。【選択図】　図１
2004113277.tif 000002
【特許請求の範囲】
【請求項１】
内底部にパルセータを回転自在に配設した洗濯槽と、前記パルセータの周縁部分に下端側を連通させ上端側を洗濯槽の内壁に沿って立ち上げた循環水路とを備え、前記パルセータの回転によるパルセータの裏羽根のポンプ作用で洗濯水を前記循環水路の上方部の第１の吐出口およびこの第１の吐出口より下方に位置する第２の吐出口のそれぞれから洗濯槽内へ吐出するように構成し、前記循環水路は、前記第１の吐出口および第２の吐出口を形成した覆い部材を有し、この覆い部材の内側に前記第２の吐出口を囲むように第１のリブを立設し、この第１のリブの下辺部分は略中央部分を開放した略逆ハ字形状とした洗濯機。
【請求項２】
第１のリブの高さを循環水路の深さ寸法よりも低く設定した請求項１記載の洗濯機。
【請求項３】
第２の吐出口を囲む第１のリブの内方に、略逆ハ字形状部分と略平行に隙間を介して、第２のリブを立設した請求項１または２記載の洗濯機。
【請求項４】
第１のリブの高さを、循環水路の深さ寸法の略１／２に設定した請求項１〜３のいずれか１項に記載の洗濯機。
【請求項５】
第１のリブの下辺部分に設けた開放部の横幅寸法を、第２のリブにおける開放部の横幅寸法よりも大きく設定した請求項３記載の洗濯機。
【発明の詳細な説明】
【０００１】
【発明の属する技術分野】
本発明は、洗濯槽内に設けた循環水路により洗濯水を循環させる洗濯機に関するものである。
【０００２】
【従来の技術】
従来、代表的な洗濯機は、パルセータと呼ばれる撹拌翼を回転させて洗濯するものであり、この種の洗濯機の構成を図７を参照しながら説明する。
【０００３】
図７に示すように、洗濯槽１は、底部にパルセータ２を回転自在に配設し、この洗濯槽１の底部裏面に取り付け用のフランジ３を取り付けている。外槽４は、洗濯槽１の外側に設けており、外槽４の裏面には洗濯槽１およびパルセータ２を駆動するモータ５を取り付けている。また、外槽４は、外枠６にサスペンション７によって防振支持されている。洗濯槽１の上部に液体を内封した流体バランサー８を固着している。
【０００４】
洗濯槽１の側面部には循環水路９を形成しており、パルセータ２の回転により、パルセータ２裏面の水がパルセータ２の裏羽根１０の外周に形成したポンプ室１１から循環水路９を通り、流体バランサー８まで到達して循環水路９の開口部１２より洗濯槽１内に吐出するようにしている（例えば、特許文献１）。
【０００５】
【特許文献１】
特開平６−２９６７９４号公報
【０００６】
【発明が解決しようとする課題】
このような従来の洗濯機では、循環水路９を通して循環吐出される水量は、開口部１２と水面との位置関係の影響が大きく、洗濯する衣類の所定水量よりも少ない水量を給水し、洗剤濃度が高濃度の洗濯水で洗濯するときや、洗濯する水位が低い低水位や少量水位のときには、水面と開口部１２との距離が長くなるため、循環吐出される水量は少なく、洗剤の溶解の促進や洗剤を衣類にかけることによる洗浄のアップが望み難いという問題を有していた。
【０００７】
本発明は上記課題を解決するもので、洗濯槽内の水位に関わらず、充分な吐出流量の洗濯水を異なる高さから吐出し、洗濯水を衣類全体にかかるようにし、洗濯水の循環効率を向上して洗剤の溶解を促進し、さらに、循環水路からの吐出パターンを広角にすることにより衣類にむらなく散水し、洗いむらをなくし、洗浄性能を向上することを目的としている。
【０００８】
【課題を解決するための手段】
本発明は上記目的を達成するために、洗濯槽の内底部にパルセータを回転自在に配設し、パルセータの周縁部分に循環水路の下端側を連通させ、循環水路の上端側を洗濯槽の内壁に沿って立ち上げ、パルセータの回転によるパルセータの裏羽根のポンプ作用で洗濯水を循環水路の上方部の第１の吐出口およびこの第１の吐出口より下方に位置する第２の吐出口のそれぞれから洗濯槽内へ吐出するように構成し、循環水路は、第１の吐出口および第２の吐出口を形成した覆い部材を有し、この覆い部材の内側に第２の吐出口を囲むように第１のリブを立設し、この第１のリブの下辺部分は略中央部分を開放した略逆ハ字形状としたものである。
【０００９】
これにより、洗濯槽内の水位に関わらず、充分な吐出流量の洗濯水を異なる高さから吐出できて、洗濯水を衣類全体にかかるようすることができ、洗濯水の循環効率を向上することができて洗剤の溶解を促進することができ、さらに、循環水路からの吐出パターンを広角にすることにより衣類にむらなく散水することができ、洗いむらをなくし、洗浄性能を向上することができる。
【００１０】
【発明の実施の形態】
本発明の請求項１に記載の発明は、内底部にパルセータを回転自在に配設した洗濯槽と、前記パルセータの周縁部分に下端側を連通させ上端側を洗濯槽の内壁に沿って立ち上げた循環水路とを備え、前記パルセータの回転によるパルセータの裏羽根のポンプ作用で洗濯水を前記循環水路の上方部の第１の吐出口およびこの第１の吐出口より下方に位置する第２の吐出口のそれぞれから洗濯槽内へ吐出するように構成し、前記循環水路は、前記第１の吐出口および第２の吐出口を形成した覆い部材を有し、この覆い部材の内側に前記第２の吐出口を囲むように第１のリブを立設し、この第１のリブの下辺部分は略中央部分を開放した略逆ハ字形状としたものであり、洗濯槽内の水位に関わらず、循環水路の下位置に設置した第２の吐出口からだけでなく、上位置に設置した第１の吐出口からも充分な吐出流量の洗濯水を吐出し、異なる高さから洗濯水を衣類全体にかかるようすることができ、洗濯水の循環効率を向上することができて洗剤の溶解を促進することができ、さらに、循環水路からの吐出パターンを広角にすることにより衣類にむらなく散水することができ、洗いむらをなくし、洗浄性能を向上することができる。
【００１１】
請求項２に記載の発明は、上記請求項１に記載の発明において、第１のリブの高さを循環水路の深さ寸法よりも低く設定したものであり、循環水路を上昇する洗濯水を下位置に設置した第２の吐出口から吐出するだけでなく、上位置に設置した第１の吐出口からも充分な吐出流量の洗濯水を吐出することができ、異なる高さから洗濯水を衣類全体にかかるようすることができ、洗濯水の循環効率を向上することができて洗剤の溶解を促進することができ、さらに、循環水路からの吐出パターンを広角にすることにより衣類にむらなく散水することができ、洗いむらをなくし、洗浄性能を向上することができる。
【００１２】
請求項３に記載の発明は、上記請求項１または２に記載の発明において、第２の吐出口を囲む第１のリブの内方に、略逆ハ字形状部分と略平行に隙間を介して、第２のリブを立設したものであり、循環水路からの吐出パターンをより広角にすることができ、洗濯水を衣類にむらなく散水することができて、洗いむらをなくし、洗浄性能を向上することができる。
【００１３】
請求項４に記載の発明は、上記請求項１〜３に記載の発明において、第１のリブの高さを、循環水路の深さ寸法の略１／２に設定したものであり、循環水路を上昇する洗濯水を下位置に設置した第２の吐出口から吐出するだけでなく、上位置に設置した第１の吐出口からも充分な吐出流量の洗濯水を吐出し、異なる高さからほぼ同じ量の洗濯水を吐出することができ、洗濯水の循環効率を向上することができて洗剤の溶解を促進することができ、さらに、循環水路からの吐出パターンを広角にすることにより衣類にむらなく散水することができ、洗いむらをなくし、洗浄性能を向上することができる。
【００１４】
請求項５に記載の発明は、上記請求項３に記載の発明において、第１のリブの下辺部分に設けた開放部の横幅寸法を、第２のリブにおける開放部の横幅寸法よりも大きく設定したものであり、循環水路からの吐出パターンをより広角にすることができ、洗濯水を衣類にむらなく散水することができ、洗いむらをなくし、洗浄性能を向上することができる。
【００１５】
【実施例】
以下、本発明の実施例について、図面を参照しながら説明する。なお、従来例と同じ構成のものは同一符号を付して説明を省略する。
【００１６】
（実施例１）
図１に示すように、循環水路１３は、下端側をパルセータ２の周縁部分に連通させ、上端側を洗濯槽１の内壁に沿って立ち上げて設置している。この循環水路１３は、覆い部材１４に第１の吐出口１５と、第１の吐出口１５より下方に位置する第２の吐出口１６を形成し、パルセータ２の回転によるパルセータ２の裏羽根１０のポンプ作用で、洗濯水を第１の吐出口１５および第２の吐出口１６のそれぞれから洗濯槽１内へ吐出するように構成している。
【００１７】
この覆い部材１４の内側には、図２に示すように、第２の吐出口１６を囲むように第１のリブ１７を立設している。この第１のリブ１７の下辺部分は略中央部を開放した略逆ハ字形状としている。
【００１８】
上記構成について動作を説明すると、洗濯槽１内の水位が高い水位Ｐ１のとき、パルセータ２の回転によりパルセータ２の裏面の洗濯水は、パルセータ２の裏羽根１０のポンプ作用で、循環水路１３を通り第１の吐出口１５より洗濯槽１内に吐出する。このとき、第２の吐出口１６は水面下にあり、水中に洗濯水を吐出している。
【００１９】
つぎに、洗濯槽１内の水位が低い水位Ｐ２のときは、第１の吐出口１５および第２の吐出口１６より洗濯水を吐出することができる。
【００２０】
このとき、循環水路１３内の洗濯水の動きは、パルセータ２の回転によるポンプ作用によりほぼ垂直に上昇し、第１のリブ１７の下辺部分にある開放した略中央部で分岐し、開放した略中央部を通過した洗濯水は、第２の吐出口１６から洗濯槽１内に中心部に向かって吐出し、それ以外の洗濯水は、さらに上昇して循環水路１３の上方に設置した第１の吐出口１５から同様に洗濯槽１内に吐出する。
【００２１】
第１の吐出口１５および第２の吐出口１６からの吐出量は、第１のリブ１７の下辺部分に設けた開放部の横幅寸法を変更することにより調整することができる。
【００２２】
また、第１のリブ１７の下辺部分は略中央部を開放した略逆ハ字形状にすることにより、第２の吐出口１６の横幅を開放部の横幅よりも広くすることができ、第２の吐出口１６から出る洗濯水の吐出パターンを広角にすることができる。
【００２３】
このことにより、洗濯槽１内の水位に関わらず、下位置に設置した第２の吐出口１６からだけでなく、上位置に設置した第１の吐出口１５からも充分な吐出流量の洗濯水を吐出することができ、異なる高さから洗濯水を衣類全体にかかるようすることができ、洗濯水の循環効率を向上することができて、洗剤の溶解を促進することができ、さらに、循環水路１３からの吐出パターンを広角にすることにより衣類にむらなく散水することができ、洗いむらをなくし、洗浄性能を向上することができる。
【００２４】
（実施例２）
図３に示すように、循環水路１８は、下端側をパルセータの周縁部分に連通させ、上端側を洗濯槽１（図１参照）の内壁に沿って立ち上げて設置するもので、覆い部材１９に第１の吐出口２０と、第１の吐出口２０より下方に位置する第２の吐出口２１を形成し、覆い部材１９の内側に第２の吐出口２１を囲むように第１のリブ２２を立設している。ここで、第１のリブ２２の高さａを循環水路１８の深さ寸法ｂよりも低く設定している。他の構成は上記実施例１と同じである。
【００２５】
上記構成について動作を説明すると、循環水路１８内の洗濯水の動きは、パルセータの回転によるポンプ作用によりほぼ垂直に上昇し、第１のリブ２２の下辺部分にある開放した略中央部で分岐し、開放した略中央部を通過した洗濯水は、第２の吐出口２１から洗濯槽内に中心部に向かって吐出し、それ以外の洗濯水は、さらに上昇し循環水路１８の上方に設置した第１の吐出口２０から同様に洗濯槽内に吐出する。
【００２６】
洗濯槽内の水位が低くなる程、第１の吐出口２０からの吐出量は減少する傾向になるため、第１のリブ２２の高さａを循環水路１８の深さ寸法ｂよりも低く設定することにより、第２の吐出口２１からの吐出流量を抑えめにし、上方に設置した第１の吐出口２０からの流量を充分確保することができる。つまり、第１のリブ２２の高さａを調整することにより、第１の吐出口２０からの吐出流量が調整可能となる。
【００２７】
このことにより、下位置に設置した第２の吐出口２１から吐出するだけでなく、上位置に設置した第１の吐出口２０からも充分な吐出流量の洗濯水を異なる高さから吐出することができ、衣類にむらなく散水することができ、さらに、洗濯水の循環効率を向上することができて、洗剤の溶解を促進することができ、洗いむらをなくし、洗浄性能を向上することができる。
【００２８】
（実施例３）
図４に示すように、循環水路２３は、下端側をパルセータの周縁部分に連通させ、上端側を洗濯槽１（図１参照）の内壁に沿って立ち上げて設置するもので、覆い部材２４に第１の吐出口２５と、第１の吐出口２５より下方に位置する第２の吐出口２６を形成し、覆い部材２４の内側に第２の吐出口２６を囲むように第１のリブ２７を立設している。この第１のリブ２７の内方に、略逆ハ字形状部分と略平行に隙間を介して、第２のリブ２８を立設している。他の構成は上記実施例１と同じである。
【００２９】
上記構成について動作を説明すると、循環水路２３内の洗濯水の動きは、パルセータの回転によるポンプ作用によりほぼ垂直に上昇し、第１のリブ２７の下辺部分にある開放した略中央部で分岐し、開放した略中央部を通過した洗濯水は、第２の吐出口２６から洗濯槽内に中心部に向かって吐出し、それ以外の洗濯水は、さらに上昇し、循環水路２３の上方に設置した第１の吐出口２５から同様に洗濯槽内に吐出する。
【００３０】
このとき、この第１のリブ２７の開放した略中央部を通過した洗濯水は、第１のリブ２７と第２のリブ２８の隙間を通る洗濯水と、第２のリブ２８の開放部を通る洗濯水とに分岐される。第２のリブ２８の開放部を通る洗濯水は、第２の吐出口２６のほぼ中央部辺りから洗濯槽内に向かって吐出するのに対し、第１のリブ２７と第２のリブ２８の隙間を通る洗濯水は、第２の吐出口２６の両端側に向かって加速し吐出するため、吐出パターンを広角にすることができる。
【００３１】
このことにより、洗濯槽内の水位に関わらず、下位置に設置した第２の吐出口２６からだけでなく、上位置に設置した第１の吐出口２５からも充分な吐出流量の洗濯水を異なる高さから吐出し、洗濯水を衣類全体にかかるようすることができ、また、循環水路２３からの吐出パターンを広角にすることにより衣類にむらなく散水することができ、さらに、洗濯水の循環効率を向上することができて、洗剤の溶解を促進することができ、洗いむらをなくし、洗浄性能を向上することができる。
【００３２】
（実施例４）
図５に示すように、循環水路２９は、下端側をパルセータの周縁部分に連通させ、上端側を洗濯槽１（図１参照）の内壁に沿って立ち上げて設置するもので、覆い部材３０に第１の吐出口３１と、第１の吐出口３１より下方に位置する第２の吐出口３２を形成し、覆い部材３０の内側に第２の吐出口３２を囲むように第１のリブ３３を立設している。ここで、第１のリブ３３の高さｃを循環水路２９の深さ寸法ｄの略１／２に設定している。他の構成は上記実施例１と同じである。
【００３３】
上記構成について動作を説明すると、循環水路２９内の洗濯水の動きは、パルセータの回転によるポンプ作用によりほぼ垂直に上昇し、第１のリブ３３の下辺部分にある開放した略中央部で分岐し、開放した略中央部を通過した洗濯水は、第２の吐出口３２から洗濯槽内に中心部に向かって吐出し、それ以外の洗濯水は、さらに上昇し、循環水路２９の上方に設置した第１の吐出口３１から同様に洗濯槽内に吐出する。
【００３４】
このとき、第１のリブ３３の高さｃを、循環水路２９の深さ寸法ｄの略１／２に設定することにより、循環水路２９内を通過する洗濯水の約１／２は下に設置した第２の吐出口３２から吐出され、残りの洗濯水は上に設置した第１の吐出口３１から吐出することができ、異なる高さから吐出量を均等に出すことができる。
【００３５】
このことにより、下位置に設置した第２の吐出口３２から吐出するだけでなく、上位置に設置した第１の吐出口３１からも充分な吐出流量の洗濯水を異なる高さから吐出することができ、衣類にむらなく散水することができ、さらに、洗濯水の循環効率を向上することができて、洗剤の溶解を促進することができ、洗いむらをなくし、洗浄性能を向上することができる。
【００３６】
（実施例５）
図６に示すように、循環水路３４は、下端側をパルセータの周縁部分に連通させ、上端側を洗濯槽１（図１参照）の内壁に沿って立ち上げて設置するもので、覆い部材３５に第１の吐出口３６と、第１の吐出口３６より下方に位置する第２の吐出口３７を形成し、覆い部材３５の内側に第２の吐出口３７を囲むように第１のリブ３８を立設している。この第１のリブ３８の内方に、略逆ハ字形状部分と略平行に隙間を介して、第２のリブ３９を立設している。
【００３７】
ここで、第１のリブ３８の下辺部分に設けた開放部の横幅寸法ｅを、第２のリブ３９における開放部の横幅寸法ｆよりも大きく設定している。他の構成は上記実施例１と同じである。
【００３８】
上記構成について動作を説明すると、循環水路３４内の洗濯水の動きは、パルセータの回転によるポンプ作用によりほぼ垂直に上昇し、第１のリブ３８の下辺部分にある開放した略中央部で分岐し、開放した略中央部を通過した洗濯水は、第２の吐出口３７から洗濯槽内に中心部に向かって吐出し、それ以外の洗濯水は、さらに上昇し、循環水路３４の上方に設置した第１の吐出口３６から同様に洗濯槽内に吐出する。
【００３９】
このとき、開放した略中央部を通過した洗濯水は、第１のリブ３８と第２のリブ３９の隙間を通る洗濯水と、第２のリブ３９の開放部を通る洗濯水とに分岐される。第２のリブ３９の開放部を通る洗濯水は、第２の吐出口３７のほぼ中央部辺りから洗濯槽内に向かって吐出するのに対し、第１のリブ３８と第２のリブ３９の隙間を通る洗濯水は、第２の吐出口３７の両端側に向かって加速し吐出するため、洗濯槽内に吐出するときは、広角に広がった吐出パターンにすることができる。
【００４０】
そのため、第２の吐出口３７からの洗濯水の吐出パターンをより広角にしたい場合、第１のリブ３８の下辺部分に設けた開放部の横幅寸法ｅを、第２のリブ３９における開放部の横幅寸法ｆよりも大きくすることにより、第１のリブ３８と第２のリブ３９の隙間を通る水量を増やし、広角に広がった洗濯水を洗濯槽内の衣類にかけることができる。
【００４１】
このことにより、循環水路３４からの吐出パターンを広角にすることにより衣類にむらなく散水することができ、さらに、洗濯水の循環効率を向上することができて、洗剤の溶解を促進することができ、洗いむらをなくし、洗浄性能を向上することができる。
【００４２】
【発明の効果】
以上のように、本発明の請求項１に記載の発明によれば、パルセータの回転によるパルセータの裏羽根のポンプ作用で洗濯水を循環水路の上方部の第１の吐出口およびこの第１の吐出口より下方に位置する第２の吐出口のそれぞれから洗濯槽内へ吐出するように構成し、循環水路は、第１の吐出口および第２の吐出口を形成した覆い部材を有し、この覆い部材の内側に第２の吐出口を囲むように第１のリブを立設し、この第１のリブの下辺部分は略中央部分を開放した略逆ハ字形状としたことにより、洗濯槽内の水位に関わらず、充分な吐出流量の洗濯水を異なる高さから吐出できて、洗濯水を衣類全体にかかるようすることができ、洗濯水の循環効率を向上することができて洗剤の溶解を促進することができ、さらに、循環水路からの吐出パターンを広角にすることにより衣類にむらなく散水することができ、洗いむらをなくし、洗浄性能を向上することができる。
【図面の簡単な説明】
【図１】本発明の第１の実施例の洗濯機の縦断面図
【図２】同洗濯機の循環水路の一部切欠した拡大斜視図
【図３】本発明の第２の実施例の洗濯機の循環水路の一部切欠した縦断面図
【図４】本発明の第３の実施例の洗濯機の循環水路の一部切欠した背面図
【図５】本発明の第４の実施例の洗濯機の循環水路の一部切欠した縦断面図
【図６】本発明の第５の実施例の洗濯機の循環水路の一部切欠した背面図
【図７】従来の洗濯機の縦断面図
【符号の説明】
１　洗濯槽
２　パルセータ
１０　裏羽根
１３　循環水路
１４　覆い部材
１５　第１の吐出口
１６　第２の吐出口
１７　第１のリブ
【図１】
2004113277.tif 000003
【図２】
2004113277.tif 000004
【図３】
2004113277.tif 000005
【図４】
2004113277.tif 000006
【図５】
2004113277.tif 000007
【図６】
2004113277.tif 000008
【図７】
2004113277.tif 000009